(57)【要約】【課題】封筒内に受信人個々の所望量封入物を名寄せして封入封緘する際、合紙をキーとし、その帳票束をそのまま封入封緘処理まで行う装置を供すること。【解決手段】一受信人に対する情報処理のための第１〜第ｎの情報処理表示が一受信人毎に順次連続する連続紙を単位帳票域毎に断裁して順次重ね合わせ、一受信人宛の単位帳票を一受信人宛毎に名寄せして発信するもので、連続紙供給手段１、連続紙の単位帳票域毎に表示してある一受信人宛の封入量（第１〜第ｎ）を読み取って、一受信人宛封入量毎の信号を出力する封入量読取手段２、連続紙を単位帳票域毎に断裁する連続紙断裁手段３、一受信人宛の封入量毎に合紙を投入する合紙投入手段４、合紙をキーとして一受信人宛の単位帳票を順次名寄せするためのバッファー機構５を備えた名寄せ手段６、帳票束を所望の封筒体内に封入封緘するための封入封緘手段７とを封入封緘ラインに沿って設けた封緘装置。【選択図】図２
2004255787.tif 000002
【特許請求の範囲】
【請求項１】
コンピュータによるデーター印字処理が可能な帳票形成用連続紙に対し、その長さ方向に所定の間隔をおいて単位帳票域を形成し、前記単位帳票域は、一受信人に対する情報処理のための第１〜第ｎの情報処理表示が一受信人毎に順次連続しており、前記連続紙を単位帳票域毎に断裁して順次重ね合わせることによって、一受信人宛の単位帳票を一受信人宛毎に名寄せして発信できるように構成されているものからなり、該連続紙にもとづく名寄せ封入封緘装置が、前記連続紙を供給する連続紙供給手段と、前記連続紙の単位帳票域毎に表示してある一受信人宛の封入量（第１〜第ｎ）を読み取って、一受信人宛封入量毎の信号を出力する封入量読取手段と、前記連続紙を単位帳票域毎に断裁する連続紙断裁手段と、前記一受信人宛の封入量（第１〜第ｎ）毎に合紙を投入する合紙投入手段と、前記合紙をキーとして前記一受信人宛の単位帳票を順次名寄せするためのバッファー機構を備えた名寄せ手段と、前記名寄せされた単位帳票束を所望の封筒体内に封入封緘するための封入封緘手段とを封入封緘ラインに沿って設けてなることを特徴とする定型外封書の封入物封入封緘装置。
【請求項２】
前記帳票形成用連続紙における単位帳票域が、一受信人宛毎に、普通データー表示帳票のための普通データー表示帳票域、特定データー表示帳票のための特定データー表示帳票域並びにアドレス等表示帳票のためのアドレス等表示帳票域によって構成されていることを特徴とする請求項１に記載の定型外封書の封入物封入封緘装置。
【請求項３】
前記帳票形成用連続紙における単位帳票域が、一受信人宛毎の封入量に応じた重量グループの変わり目毎に、普通データー表示帳票域、特定データー表示帳票域並びにアドレス等表示帳票域に加えて重量種別帳票のための重量種別帳票域を含むものからなることを特徴とする請求項１に記載の定型外封書の封入物封入封緘装置。
【請求項４】
前記合紙が、普通データー表示帳票、特定データー表示帳票、アドレス等表示帳票並びに重量種別帳票に対して認識率の高いＲＧＢ構成比率による着色紙であることを特徴とする請求項１に記載の定型外封書の封入物封入封緘装置。
【請求項５】
前記名寄せ手段によって名寄せされた一受信人宛毎の封入物の重量が、指定外の重量に達したものについて、指定外重量の封入物を封入封緘ラインから排出する指定外重量封入物排出手段を備えたものからなることを特徴とする請求項１に記載の定型外封書の封入物封入封緘装置。
【請求項６】
前記一受信人宛毎に名寄せされた封入物に対して、追加封入紙を追加集積する追加封入紙集積手段を備えたものからなることを特徴とする請求項１に記載の定型外封書の封入物封入封緘装置。
【請求項７】
前記封入封緘手段によって封緘された封閉封筒体を重量種別または同一重量内での定数毎に箱詰めするための封閉封筒体重量種別箱詰め手段を備えたものからなることを特徴とする請求項１に記載の定型外封書の封入物封入封緘装置。
【発明の詳細な説明】
【０００１】
【発明の属する技術分野】
この発明は、例えば、定型外の封書に対して適合する封入物封入封緘装置であって、該定型外封筒に対し受信人個々の所望量封入物を名寄せして封入封緘するための装置であり、特に、封入物の名寄せシステムに関し、合紙をキーとする合紙処理された帳票束をそのまま封入封緘処理まで行えるように構成してなる定型外封書の封入物封入封緘装置に関するものである。
【０００２】
【従来の技術】
周知のように、封筒内に所望量の封入物を封入封緘して郵送に供する封書物のための封入封緘装置は、従来、封入物処理用紙表面に、データ、アドレスと共に印字されたハイフンコードあるいはバーコードなどの情報により、その情報読み取りによってグループ分け（名寄せ）の処理が行われている。
【０００３】
上記する従来の封入封緘装置における封入物のグループ分け方法としては、封入物処理用紙表面に表示したハイフンコードの読み取りによる方法と、あるいはまた、封入物処理用紙表面に表示したバーコードの読み取りによる方法とがある。これらのうち、ハイフンコードの読み取りによる方法は、用紙先端から対象となるハイフンマークまでの寸法が決められており、単純には、マークの有無でグループエンドを認識する方法、並びに、複数のハイフンマークの組み合わせコードにより認識する方法とによるものであった。一方、バーコードの読み取りによる方法は、一般的に、封入物処理用紙表面にグループナンバーが印刷されていて、同一ナンバーが継続する範囲が同一グループであるとするロジック、あるいは、バーコード指定桁の情報によりグループエンド、グループヘッドとするロジックにもとづいて名寄せ処理を行うものである。また、同封物の随意同封などを含む高機能封入封緘作業の場合は、バーコードの指定桁の数字を認識することにより名寄せ処理が行われている。
【０００４】
【特許文献１】
特開２００１−１８０１５７号公報（第４−５頁、第１図）
【特許文献２】
特開平８−２０７４７３号公報（第２−３頁、第２図）
【０００５】
【発明が解決しようとする課題】
上記する従来の技術において、ハイフンコードによる名寄せ処理の場合、用紙からの印字位置、印字濃度あるいは用紙のばたつきなどの要因によって、マークの読み落としによる障害を覚悟しなくてはならず、一定のリードミスを前提とした保護対策を講じる必要があった。一方、上記する従来の技術にあって、バーコードの読み取りによる名寄せ処理の場合は、用紙エッジからの精密な印字位置関係からは開放されるが、印字品質が大きなファクターとなり、上記ハイフンコード方式同様に、一定のリードミスを前提とした保護対策を講じる必要があった。また、万一封入封緘システムがダウンした場合、自動的に人海戦術に頼るという対応が必要であった。このように、人間がハイフンマーク、バーコードの内容を判断して装置に代わって名寄せ作業をすることは、極めて至難の業であり、即代替方法で逃げるということができなかった。
【０００６】
一方また、カットシートの封入封緘処理で小口処理の場合には、プリンタでグループエンド毎に合紙を入れ、後作業において、人手により合紙を目印として封入封緘する作業が多く見受けられる。しかしながら、このシステムを自動化する場合には、ハイフンマーク、バーコードを問わず、新たに印字するソフト開発のための多大な費用と時間とを要するという問題点を有していた。
【０００７】
そこで、この発明は、上記するような従来技術にみられる上記する問題点を解決するべくなしたものであり、例えば、定型外封書に対して、所望量の封入物を名寄せして、封入封緘するシステムにあって、特に、封入物の名寄せシステムが合紙をキーとするべく自動化してなる定型外封書の封入封緘装置を提供することにある。
【０００８】
【課題を解決するための手段】
この発明は、上記する目的を達成するにあたって、具体的には、コンピュータによるデーター印字処理が可能な帳票形成用連続紙に対し、その長さ方向に所定の間隔をおいて単位帳票域を形成し、前記単位帳票域は、一受信人に対する情報処理のための第１〜第ｎの情報処理表示が一受信人毎に順次連続しており、前記連続紙を単位帳票域毎に断裁して順次重ね合わせることによって、一受信人宛の単位帳票を一受信人宛毎に名寄せして発信できるように構成されているものからなり、当該連続紙にもとづく名寄せ封入封緘装置が、前記連続紙を供給する連続紙供給手段と、前記連続紙の単位帳票域毎に表示してある一受信人宛の封入量（第１〜第ｎ）を読み取って、一受信人宛封入量毎の信号を出力する封入量読取手段と、前記連続紙を単位帳票域毎に断裁する連続紙断裁手段と、前記一受信人宛の封入量（第１〜第ｎ）毎に合紙を投入する合紙投入手段と、前記合紙をキーとして前記一受信人宛の単位帳票を順次名寄せするためのバッファー機構を備えた名寄せ手段と、前記名寄せされた単位帳票束を所望の封筒体内に封入封緘するための封入封緘手段とを封入封緘ラインに沿って設けてなる定型外封書の封入物封入封緘装置を構成するものである。
【０００９】
さらに、この発明は、帳票形成用連続紙における単位帳票域が、一受信人宛毎に、普通データー表示帳票のための普通データー表示帳票域、追加封入紙の給紙情報を有する特定データー表示帳票域並びにアドレス等表示帳票のためのアドレス等表示帳票域によって構成されている定型外封書の封入物封入封緘装置を構成するものである。
【００１０】
さらにまた、この発明は、帳票形成用連続紙における単位帳票域が、一受信人宛毎の封入量に応じた重量グループの変わり目毎に、普通データー表示帳票域、特定データー表示帳票域並びにアドレス等表示帳票域に加えて重量種別帳票のための重量種別帳票域を含むものからなる定型外封書の封入物封入封緘装置を構成するものである。
【００１１】
さらにまた、この発明は、合紙が、前記普通データー表示帳票、特定データー表示帳票、アドレス等表示帳票並びに重量種別帳票に対して認識率の高いＲＧＢ構成比率による着色紙である定型外封書の封入物封入封緘装置を構成するものである。
【００１２】
さらにまた、この発明は、名寄せ手段によって名寄せされた一受信人宛毎の封入物の重量が、指定外の重量に達したものについて、指定外重量の封入物を封入封緘ラインから排出する指定外重量封入物排出手段を備えたものからなる定型外封書の封入物封入封緘装置を構成するものである。
【００１３】
さらに、この発明は、一受信人宛毎に名寄せされた封入物に対して、追加封入紙を追加集積する追加封入紙集積手段を備えたものからなる定型外封書の封入物封入封緘装置を構成するものである。
【００１４】
さらにまた、この発明は、封入封緘手段によって封緘された封閉封筒体を重量種別または同一重量内での定数毎に箱詰めするための封閉封筒体重量種別箱詰め手段を備えたものからなる定型外封書の封入物封入封緘装置を構成するものでもある。
【００１５】
【発明の実施の形態】
以下、この発明になる定型外封書の封入物封入封緘装置について、図面に示す具体的な実施例にもとづいて詳細に説明する。
図１は、この発明になる定型外封書の封入物封入封緘装置についての具体的な実施例を概略的に示すものであって、当該封入物封入封緘装置の全体構成を示す概略的な平面図であり、図２は、図１に示す封入物封入封緘装置にあって、断裁機構部および名寄せ機構部に対応する概略的正面図であって、各機構部の内部機構の詳細を示す概略的な正面図である。
【００１６】
図３は、この発明になる定型外封書の封入物封入封緘装置にあって、帳票の給紙パターンの態様例を示すものであって、図３Ａは、第１の給紙パターン（普通データー帳票Ｄ、特定データー帳票ＳＤおよび送付先表示帳票ＡＤによる３枚名寄せ２セットの給紙パターン）を示す概略的な平面図であり、図３Ｂは、第２の給紙パターン（３枚名寄せ１セットと、重量種別帳票ＷＤおよび重量変更後の４枚名寄せ１セットの給紙パターン）を示す概略的な平面図であり、図３Ｃは、図３Ａに示す第１の給紙パターンのものを名寄せした状態を示す概略的な平面図であり、図３Ｄは、図３Ｂに示す第２の給紙パターンのものを名寄せした状態を示す概略的な平面図であり、図３Ｅは、送付先表示帳票ＡＤの一例を詳細に示す概略的な平面図である。
【００１７】
図４は、３枚名寄せ（Ｄ、ＳＤ、ＡＤ）２セットおよび重量種別帳票ＷＤによって重量種別変更を行う給紙パターン例に基づくバッファー名寄せ機構における動作をあらわす動作タイムチャート図である。
【００１８】
図５は、当該定型外封書の封入物封入封緘装置にあって、名寄せ後における帳票束を反転するための名寄せ帳票束反転機構の具体的な例を示すものであって、図５Ａは、図１において矢印Ｙ１の方向からみた当該名寄せ帳票束反転機構の概略的な側面図であり、図５Ｂは、図１において矢印Ｙ２の方向からみた概略的な正面図であり、図５Ｃは、図５Ａに対応する概略的な平面図である。
【００１９】
図６および図７は、当該定型外封書の封入物封入封緘装置における封緘封筒体の箱詰め機構の具体的な例を示すものであって、図６Ａは、封緘された封筒体群と当該封緘封筒体を収容する封緘封筒体収容箱の例を示す概略的な斜視図であり、図６Ｂは、図１において矢印Ｙ３の方向からみた当該封緘封筒体の箱詰め機構を示す概略的な側面図であり、図６Ｃは、図６Ｂにおいて矢印Ｙ４の方向からみた概略的な側面図である。一方、図７は、当該封緘封筒体の箱詰め機構の動作態様例を示すものであって、図７Ａは、封緘封筒体収容箱の半部に封緘封筒体を収容した第１段階の状態を示す概略的な側面図であり、図７Ｂは、一つの封緘封筒体収容箱の全部に封緘封筒体を収容した第２段階の状態を示す概略的な側面図であり、図７Ｃは、封筒体収容箱の全部に封緘封筒体を収容した後、当該封筒体収容箱を排出する状態を示す概略的な側面図である。
【００２０】
まず、図３にもとづいて、この発明になる定型外封書の封入物封入封緘装置に適用される帳票形成用連続紙ＣＰの具体的な構成例並びに当該帳票の給紙パターンの具体的な構成例について説明する。前記帳票形成用連続紙ＣＰは、コンピュータ装置等における連続印字処理システムに適合するように構成された連続紙であり、その長さ方向に所定の間隔をおいて単位帳票域を形成し、前記単位帳票域は、一受信人に対する情報処理のための第１〜第ｎの情報処理表示が一受信人毎に順次連続しており、前記連続紙を単位帳票域毎に断裁して順次重ね合わせることによって、一受信人宛の単位帳票を一受信人宛毎に名寄せして発信できるように構成されている。
【００２１】
この帳票形成用連続紙ＣＰは、図３Ａに示す第１の給紙パターンの実施例によれば、一受信人宛に同封発送する帳票が、断裁される単位帳票域毎に連続して形成され、続いて他の受信人宛に同封発送する帳票が、同じく断裁される単位帳票域毎に連続して形成されている。この実施例によれば、一人の受信人へ同封発送される帳票は、例えば、発送先宛名等表示帳票ＡＤと、少なくとも一枚の特定データー帳票ＳＤと、少なくとも一枚の普通データー帳票Ｄとによって構成されるものである。
【００２２】
上記帳票形成用連続紙ＣＰは、上記第１の給紙パターンの実施例に限るものではなく、例えば、図３Ｂに示す第２の給紙パターンの実施例として構成することもできる。図３Ｂに示す第２の給紙パターンの実施例は、各受信人宛へ同封発送する同封物の封入量の変動に伴う郵送料金に関して、郵送料金別に仕分けたい場合に（郵送料金別に仕分けて発送する場合、郵送料金に特権がある）、重量グループの変わり目に、重量種別帳票ＷＤを配した構成のものからなっている。
【００２３】
前記帳票形成用連続紙ＣＰにおいて、前記発送先宛名等表示帳票ＡＤは、後述する封筒体Ｅ内に封入物を封入封緘した後、封筒体外部から発送先宛名が視認できる所謂窓付き封筒に適合するような発送先宛名印字欄ＡＤａと、発送先毎に降順（昇順）するシーケンスナンバーバーコードＢＣＸ  と、当該発送先宛名等表示帳票ＡＤの情報を符号化したバーコードＢＣ１を備えている。一方、前記特定データー帳票ＳＤは、同一受信人宛の帳票グループ内で、唯一追加封入紙の給紙情報をバーコード内に含み、且つ当該特定データー帳票ＳＤを特定すべく符号化したバーコードＢＣ２を備えたものからなっている。また、前記普通データー帳票Ｄは、特定の受信人に係われなく、共通する普通のデーター印字部を備えており、且つ、これを特定すべく符号化したバーコードＢＣ３を備えたものからなっている。
【００２４】
前記帳票形成用連続紙ＣＰにおいて、前記重量種別帳票ＷＤは、上記するように、重量グループの変わり目に当該帳票形成用連続紙ＣＰ中に設けられるものであって、封筒および同封する帳票束、追加封入紙束と合計した重量に相当する重量表示部を備えており、且つ、当該重量種別帳票ＷＤを特定すべく符号化したバーコードＢＣ４を備えたものからなっている。
【００２５】
前記第１の給紙パターンによる名寄せの形態を図３Ｃに示すものであり、前記第２の給紙パターンによる名寄せの形態を図３Ｄに示すものである。上記する第１の給紙パターンと第２の給紙パターンとは、個々に独立しているわけではなく、当然のことながら当該両パターンを組み合わせて構成することもでき、その組み合わせによって、この発明になる定型外封書の封入物封入封緘装置に対して極めて有効に適用されるものである。両パターンを組み合わせた態様例を図４の上段に示してある。
【００２６】
前記帳票形成用連続紙ＣＰにおける帳票形成域は、前記給紙パターンにしたがって形成されるものであり、例えば、図４上段に示す３枚名寄せ２セットおよび重量変更を行う給紙パターンにあっては、当該帳票形成用連続紙ＣＰの供給進行方向側から、普通データー帳票Ｄ、特定データー帳票ＳＤ、発送先宛名等表示帳票ＡＤ、普通データー帳票Ｄ、特定データー帳票ＳＤ、発送先宛名等表示帳票ＡＤ、重量種別帳票ＷＤの順に形成される。
【００２７】
一方、この発明において重要な要素となる合紙ＩＳは、図３および図４に示すように、一受信人宛毎の名寄せ帳票群の間、さらには、重量グループの変わり目間に位置付けされる重量種別帳票の前後に投入されるものであって、赤（Ｒ）、緑（Ｇ）、青（Ｂ）の構成比率による色紙によって構成されているものであって、当該合紙ＩＳの色を判断して、グループエンドとするもので、一定光の色の反射率の変化により、他の前記帳票（データー紙）と判別認識するものである。このようにして、合紙ＩＳを判別認識の対象物とする方式によれば、合紙全体が判別認識の対象エリアとなるので、従来のバーコード読み取り方式による判別認識のものに比べて、印字品質、印字位置などの要素から開放され、特にＲＧＢ比率での判断の場合は、判別認識率を急激に高め得るものである。
【００２８】
次いで、この発明になる定型外封書の封入物封入封緘装置の具体的な全体構成について、図１および図２に基づいて詳細に説明する。当然のことながら当該装置における各機構の配列については、図１に示す態様にのみ限定されるものではない。この発明になる封入物封入封緘装置は、基本的には、前記帳票形成用連続紙ＣＰを供給する連続紙供給手段１と、前記帳票形成用連続紙ＣＰの単位帳票域（ＡＤ、ＳＤ、Ｄ、ＷＤ）毎に表示してある一受信人宛の封入量（第１〜第ｎ）を読み取って、一受信人宛封入量毎の信号を出力する封入量読取手段２と、前記帳票形成用連続紙ＣＰを単位帳票域毎に断裁する連続紙断裁手段３と、前記一受信人宛の封入量（第１〜第ｎ）毎に前記合紙ＩＳを投入する合紙投入手段４と、前記合紙ＩＳをキーとして前記一受信人宛の単位帳票を順次名寄せするためのバッファー機構５を備えた名寄せ手段６と、前記名寄せされた単位帳票束を所望の封筒体内に封入封緘するための封入封緘手段７とを封入封緘ラインに沿って設けたものからなっている。
【００２９】
前記封入物封入封緘装置において、前記帳票形成用連続紙ＣＰは、封入量読取手段２によって、各帳票に設けてあるバーコード情報が読み取られた後に、前記連続紙断裁手段３によって各単位帳票に断裁される。断裁された各単位帳票は、搬送ラインＬ０  に沿って搬送され、合紙投入位置Ｐ０  において一受信人宛毎の名寄せ帳票群の間、さらには、重量グループの変わり目間毎に前記合紙投入手段４が作動して合紙ＩＳが投入される。
【００３０】
一方、前記バッファー機構５を備えた名寄せ手段６は、この発明になる封入物封入封緘装置において極めて重要な構成要素であり、まず、前記バッファー機構５は、バッファー位置Ｐ１  にあって、前記搬送ラインＬ０  に接続される搬送ラインＬ１  に関し、帳票の有無を検知するバッファー入口センサーＰＨ１並びに前記合紙ＩＳの有無を検知するＲＧＢセンサーＰＨ２が併設配置されており、その下流側に第１のストッパーＳＴ１と第２のストッパーＳＴ２とが配設されている。前記第１のストッパーＳＴ１の上流側には、重量種別帳票ＷＤを読み取るＷＤ帳票読取器ＢＣＲ３と、前記第１のストッパーＳＴ１にて停止される発送先宛名等表示帳票ＡＤのシーケンスナンバーバーコードＢＣＸ  を読み取って、読み取り信号を指令する第１の読取器ＢＣＲ１と、前記第２のストッパーＳＴ２にて停止される特定データーＳＤのバーコードＢＣ２を読み取って、読取信号を指令する第２の読取器ＢＣＲ２とを備えている。
【００３１】
さらに、前記バッファー機構５にあっては、前記第１のストッパーＳＴ１に関して第１のストッパーセンサーＰＨ３と、前記第２のストッパーＳＴ２に関して第２のストッパーセンサーＰＨ４とが設けてある。前記第１のストッパーＳＴ１と第２のストッパーＳＴ２との間には、前記重量種別帳票ＷＤと前記合紙ＩＳとを排出する排出ラインＬ２  が設けてあり、前記排出ラインＬ２  は、前記重量種別帳票ＷＤを重量種別帳票ストッカー８に導く排出ラインＬ２１と、前記合紙ＩＳを合紙ストッカー９に導く排出ラインＬ２２とに分岐している。
【００３２】
前記バッファー機構５には、前記搬送ラインＬ１  から前記排出ラインＬ２  に搬送ラインを切り換えるための第１のゲートＧ１  と、前記排出ラインＬ２  を排出ラインＬ２１あるいは排出ラインＬ２２に切り換えるための第２のゲートＧ２  とを備えている。この構成によれば、前記合紙ＩＳと前記重量種別帳票ＷＤとは、それぞれ前記搬送ラインＬ１  上の搬送過程において、前記第１のストッパーＳＴ１で一旦停止し、次に続く帳票の到着（バッファー入口センサーＰＨ１の立ち上がり）で、前記第１のストッパーＳＴ１が解除されることにともない、前記第１のゲートＧ１  の作動並びに前記第２のゲートＧ２  の作動によって、前記重量種別帳票ＷＤを重量種別帳票ストッカー８に排出し、前記合紙ＩＳを前記合紙ストッカー９に排出するようになっている。
【００３３】
前記バッファー機構５における搬送ラインＬ１  の後段には、前記帳票名寄せ手段６における搬送ラインＬ３  が接続されている。前記帳票名寄せ手段６は、帳票名寄せ位置Ｐ２  にあって、搬送ラインＬ３  に関して、その上流側から順にグルーピングスタッカーＩＮセンサーＰＨ５、グルーピングスタッカー中間センサーＰＨ６およびグルーピングスタッカーＯＵＴセンサーＰＨ７が設けてある。
【００３４】
前記帳票名寄せ手段６は、前記搬送ラインＬ３  上に搬送される帳票を、２つの駆動系によって駆動制御する第１のベルトコンベアー機構１０および第２のベルトコンベアー機構１１によって構成されているものであり、これらの各ベルトコンベアー機構の回転速度を制御して、第１のベルトコンベアー機構１０において前記帳票束を一旦刺身状にスタックして分離する方法で行う。この場合、前記グルーピングスタッカーＩＮセンサーＰＨ５で、前記発送先宛名等表示帳票ＡＤが立ち下がったタイミングで、同スタッカーが高速動作を開始し、次グループと分離する。同タイミングで、断裁機構側にＷＡＩＴをかけ、その後の帳票の供給を停止させる。前記グルーピングスタッカー中間センサーＰＨ６が刺身状のグループの立ち下がりを検知した時点で断裁機構側のＷＡＩＴを解除する。同スタッカーは、二速度式となっており、前部スタッカーは前記帳票を刺身状にスタックできる低速に戻り、後部スタッカーは、同スタッカーから次ユニットに高速排出するため高速を継続する。高速動作は、グルーピングスタッカーＯＵＴセンサーＰＨ７の立ち下がりまで継続され、その後は、前部と同速度になる。
【００３５】
前記帳票名寄せ手段６において名寄せされた帳票束は、指定内重量・指定外重量判別位置Ｐ３  において、重量判別され、指定外重量と判別された帳票束は、第１のピン機構１２の作動によって、搬送ラインＬ５  側に搬送される。この指定外重量と判別された帳票束に対しては、プリンターＰＲ１によってプリントアウトされた、その重量情報シートが添えられて、指定外重量帳票束として排出部１４に排出される。これに対して、指定内重量と判別された帳票束は、第２のピン機構１３の作動によって、搬送ラインＬ４  側に搬送される。
【００３６】
この搬送ラインＬ４  には、帳票束反転位置Ｐ４  に帳票束反転機構１５が設けてある。前記帳票束反転機構１５の具体的な構成例を図５に示す。この帳票束反転機構１５は、前記名寄せ手段６において名寄せされた帳票束の最上層が発送先宛名等表示帳票ＡＤであることに関して、後述する封入封緘手段７との関係において、発送先宛名等表示帳票ＡＤを最下層に反転しようとするものである。
【００３７】
この帳票束反転機構１５は、具体的には、前記名寄せ手段６によって名寄せされた帳票束を昇降式スタッカー１６で受け入れ（前記昇降式スタッカー１６は、レベルセンサーＰＨ８のレベル管理により最上部ラインを維持する）、基準レベルのまま、当該帳票束を反転回転体２０にもたらす。
【００３８】
前記２組各２本のピンによって構成される第１のピン機構１２と第２のピン機構１３とは、エアーシリンダー１７、１８により個々に上下動するように構成されており、サーボ機構１９により左右摺動動作するように構成されている。この各ピン機構は、図５に示すように、一方のピン機構のピンが上昇するものであれば、他方のピン機構のピンが下降するようになっている。図５において、参照符号ＰＨ９とＰＨ１０は、サーボ機構１９に対する位置検知センサー機構を示すものである。
【００３９】
前記帳票束反転機構１５は、周縁方向に開口２１ａする複数の帳票束受け入れスリット２１を備え、回転軸２２のまわりに回転可能に軸支された反転回転体２０によって構成されている。前記指定内重量と判別された帳票束は、前記第２のピン機構１３の作動によって、前記帳票束反転機構１５における前記帳票束受け入れスリット２１内に押し込まれる。前記帳票束受け入れスリット２１内に帳票束が押し込まれて収容された後、帳票束反転機構１５が作動し、帳票束が受け入れ位置ＰＡ  から送り出し位置ＰＢ  に向けて、１８０°回転移動するとともに、前記帳票束を反転する。
【００４０】
前記帳票束反転機構１５における反転回転体２０の帳票束送り出し位置ＰＢ  には、爪付きの搬送ベルト２３が設けてあり、帳票束を爪２４に引っ掛けた状態で前記帳票束を前記帳票束反転機構１５から取り出すように構成してある。
【００４１】
前記帳票束反転機構１５によって上下反転された帳票束は、前記搬送ベルト２３によってピッチ搬送装置２５の第１ピッチに排出され、搬送ラインＬ６  に沿って、追加封入紙集積位置Ｐ５  に搬送される。
【００４２】
この発明にあって、前記帳票束名寄せ手段６において名寄せされた帳票束に対して、さらに、各受信人別に必要とする追加の封入紙を追加集積するための追加封入紙集積機構２６が設けてある。前記追加封入紙集積機構２６は、図１に示すように、例えば、６種類の追加封入紙Ａｄ１〜Ａｄ６を各受信人別に選別して、搬送ラインＬ７  に沿って前記追加封入紙集積位置Ｐ５  に送り込まれるようになっており、前記追加封入紙集積位置Ｐ５  において前記名寄せされた帳票束の上に集積されるように構成してある。
【００４３】
前記追加封入紙集積位置Ｐ５  において集積された帳票束と追加封入紙とは、集積状態で搬送ラインＬ８  に沿って移動し、前記封入封緘手段７における封入物封入位置Ｐ６  に設けた封入物封入機構２７に送り込まれるようになっている。一方、所望の封筒体Ｅｎは、封筒体供給部から搬送ラインＬ９  に沿って一袋ずつ前記封入物封入位置Ｐ６  に送り込まれるようになっている。
【００４４】
前記封入物封入位置Ｐ６  に送り込まれた封筒体Ｅｎは、該封入物封入位置Ｐ６  に位置決めされ、例えば、エア手段２７などによって封筒体開口部側が開かれ、前記搬送ラインＬ８  に沿って送り込まれる集積封入物を受け入れることができるようになっている。
【００４５】
前記封入物封入位置Ｐ６  において内部に集積封入物を封入した封筒体Ｅｎは、搬送ラインＬ１０に沿って搬送され、封入封緘手段７における封筒体シーリング位置Ｐ７  に設けた封筒体シーリング機構２８において、例えば、開口側フラップｆ内面に糊付けがなされ、しかる後、開口側フラップが折り畳まれて、封入封緘が完了する。
【００４６】
この発明になる封入物封入封緘装置は、さらに、前記封入封緘手段７によって封入封緘処理を終えた封入物封入封緘封筒ＳＥを所望量まとめて、当該封入物封入封緘封筒ＳＥを所望のコンテナＣｏ内に収容するための封筒自動箱詰め機構２９を備えたものからなっている。前記封筒自動箱詰め機構２９は、搬送ラインＬ１１に沿って一箱ずつ搬送供給されるコンテナＣｏを、箱詰め位置Ｐ８  に位置決めし、該箱詰め位置Ｐ８  において、前記搬送ラインＬ１０に沿って搬送されてくる封入物封入封緘封筒ＳＥを受け入れるように構成してある。
【００４７】
より具体的には、前記封筒自動箱詰め機構２９にあって、前記コンテナＣｏは空コンテナセット位置にセットされることにより、自動的に箱詰め位置Ｐ８  に移動し、満杯になると自動的に排出される。前記コンテナＣｏの交換時期は、封入封緘機側にウエイト信号を送り、封筒到着を制御する。この機構を採用することにより、特定部分へのオペレーターの占有時間を軽減できる。さらに、この封筒自動箱詰め機構２９は、コンテナＣｏへ一定量の封筒積載を行うための、積載厚み検知機構を備えており、さらには、郵政重量区分単位の作業の場合は、各重量毎に封筒数量を設定することもできるようになっている。
【００４８】
この封筒自動箱詰め機構２９は、前記搬送ラインＬ１０に沿って搬送されてくる封入物封入封緘封筒ＳＥを受け取り、これを封筒バッファー部３０に一旦ストックする。前記コンテナＣｏに積載する数量条件に至った段階で、前記封筒バッファー部３０の底に設けた開閉部３１が開き、下部で待機しているコンテナＣｏに積載される。
【００４９】
図７に示す実施例からも明らかなように、この場合、コンテナＣｏ内が２区分されており、１区分の積載が完了した段階（図７Ａ参照）においてコンテナＣｏが左方向に所定量移動し、第２区分目の積載が可能な状態となり、第２区分目の積載が行われる（図７Ｂ参照）。前記コンテナＣｏが満杯になると同時に、前記満杯コンテナは、搬送ラインＬ１２に沿って搬出部に移動し（図７Ｃ参照）、待機していた空コンテナが前記箱詰め位置Ｐ８  に移動して、当該作業の繰り返しが行われる。具体的な実施例では、封入封緘機本体に対して、インターフェース部分から本体へのウエイト信号を送れるようになっている。
【００５０】
【発明の効果】
以上の構成になるこの発明の定型外封書の封入物封入封緘装置は、封筒体内への封入物の封入過程において、受信人個々の所望量封入物を名寄せして封入封緘するための装置であり、封入物の名寄せシステムに関して、ＲＧＢ合紙をキーとする合紙処理された帳票束をそのまま封入封緘処理まで行えるように構成した点において、このＲＧＢ合紙を認識することにより、合紙全体が判別対象エリアとなることで、印字品質、印字位置などの要素から開放され、特に、ＲＧＢの比率での判断の場合は、従来のバーコード読取り方式あるいはハイフンコード読取り方式の技術に比較して、極めて高い認識率が証明されており、その点において、極めて有効に作用するものといえる。
【００５１】
さらに、この発明は、受託処理業者の場合にあっては、ユーザーへのソフト開発負担を求めることがなくなる点、万一のシステムダウンの場合に、人海戦術による最終手段が残されている点など、受託責任上のプレッシャーから開放される点などにおいても極めて有効に作用するものといえる。
【００５２】
さらにまた、従来の方式によって問題とされている、郵便物の名寄せミス、誤封入に関し、全体的にみてグループの認識ミスを起因とする点において解消されていない現在、この発明によるＲＧＢ合紙をキーとする名寄せ処理にあっては、その効果は極めて大きなものといえる。
【図面の簡単な説明】
【図１】図１は、この発明になる定型外封書の封入物封入封緘装置についての具体的な実施例を概略的に示すものであって、当該封入物封入封緘装置の全体構成を示す概略的な平面図である。
【図２】図２は、図１に示す封入物封入封緘装置にあって、断裁機構部および名寄せ機構部に対応する概略的正面図であって、各機構部の内部機構の詳細を示す概略的な正面図である。
【図３】図３は、この発明になる定型外封書の封入物封入封緘装置にあって、帳票の給紙パターンの態様例を示すものであって、図３Ａは、第１の給紙パターン（普通データー帳票Ｄ、特定データー帳票ＳＤおよび送付先表示帳票ＡＤによる３枚名寄せ２セットの給紙パターン）を示す概略的な平面図であり、図３Ｂは、第２の給紙パターン（３枚名寄せ１セットと、重量種別帳票ＷＤおよび重量変更後の４枚名寄せ１セットの給紙パターン）を示す概略的な平面図であり、図３Ｃは、図３Ａに示す第１の給紙パターンのものを名寄せした状態を示す概略的な平面図であり、図３Ｄは、図３Ｂに示す第２の給紙パターンのものを名寄せした状態を示す概略的な平面図であり、図３Ｅは、送付先表示帳票ＡＤの一例を詳細に示す概略的な平面図である。
【図４】図４は、３枚名寄せ（Ｄ、ＳＤ、ＡＤ）２セットおよび重量種別帳票ＷＤによって重量種別変更を行う給紙パターン例に基づくバッファー名寄せ機構における動作をあらわす動作タイムチャート図である。
【図５】図５は、当該定型外封書の封入物封入封緘装置にあって、名寄せ後における帳票束を反転するための名寄せ帳票束反転機構の具体的な例を示すものであって、図５Ａは、図１において矢印Ｙ１の方向からみた当該名寄せ帳票束反転機構の概略的な側面図であり、図５Ｂは、図１において矢印Ｙ２の方向からみた概略的な正面図であり、図５Ｃは、図５Ａに対応する概略的な平面図である。
【図６】図６は、当該定型外封書の封入物封入封緘装置における封緘封筒体の箱詰め機構の具体的な例を示すものであって、図６Ａは、封緘された封筒体群と、当該封緘封筒体を収容する封緘封筒体収容箱の例を示す概略的な斜視図であり、図６Ｂは、図１において矢印Ｙ３の方向からみた当該封緘封筒体の箱詰め機構を示す概略的な側面図であり、図６Ｃは、図６Ｂにおいて矢印Ｙ４の方向からみた概略的な側面図である。
【図７】図７は、当該封緘封筒体の箱詰め機構の動作態様例を示すものであって、図７Ａは、封緘封筒体収容箱の半部に封緘封筒体を収容した第１段階の状態を示す概略的な側面図であり、図７Ｂは、一つの封緘封筒体収容箱の全部に封緘封筒体を収容した第２段階の状態を示す概略的な側面図であり、図７Ｃは、封筒体収容箱の全部に封緘封筒体を収容した後、当該封筒体収容箱を排出する状態を示す概略的な側面図である。
【符号の説明】
ＣＰ  帳票形成用連続紙
ＡＤ  発送先宛名等表示帳票
ＡＤａ  発送先宛名等表示欄
ＳＤ  特定データー帳票
Ｄ  普通データー帳票
ＷＤ  重量種別帳票
ＢＣ１〜ＢＣ４  バーコード
ＢＣｘ  シーケンスナンバーバーコード
ＩＳ  合紙
１  連続紙供給手段
２  封入量読取手段
３  連続紙断裁手段
４  合紙投入手段
５  バッファー機構
６  名寄せ手段
７  封入封緘手段
Ｌ０  〜Ｌ１２  搬送ライン
Ｐ０  合紙投入位置
Ｐ１  バッファー位置
Ｐ２  帳票名寄せ位置
Ｐ３  指定内重量・指定外重量判別位置
Ｐ４  帳票束反転位置
Ｐ５  追加封入紙集積位置
Ｐ６  封入物封入位置
Ｐ７  封筒体シーリング位置
Ｐ８  箱詰め位置
ＰＨ１  バッファー入口センサー
ＰＨ２  ＲＧＢセンサー
ＰＨ３  第１のストッパーセンサー
ＰＨ４  第２のストッパーセンサー
ＰＨ５  グルーピングスタッカーＩＮセンサー
ＰＨ６  グルーピングスタッカー中間センサー
ＰＨ７  グルーピングスタッカーＯＵＴセンサー
ＰＨ８  レベルセンサー
ＰＨ９、ＰＨ１０  サーボ機構に対する位置検知センサー機構
ＳＴ１  第１のストッパー
ＳＴ２  第２のストッパー
ＢＣＲ１  第１の読取器
ＢＣＲ２  第２の読取器
ＢＣＲ３  ＷＤ帳票読取器
８  重量種別帳票ストッカー
９  合紙ストッカー
Ｌ２１、Ｌ２２  分岐排出ライン
Ｇ１  第１のゲート
Ｇ２  第２のゲート
１０  第１のベルトコンベアー機構
１１  第２のベルトコンベアー機構
１２  第１のピン機構
１３  第２のピン機構
１４  排出部
ＰＲ１  プリンター
１５  帳票束反転機構
１６  昇降式スタッカー
１７、１８  エアーシリンダー
１９  サーボ機構
２０  反転回転体
２１  帳票束受け入れスリット
２１ａ  開口
２２  回転軸
ＰＡ  帳票束受け入れ位置
ＰＢ  帳票束送り出し位置
２３  搬送ベルト
２４  搬送ベルトの爪
２５  ピッチ搬送装置
２６  追加封入紙集積機構
２７  エア手段
２８  封筒体シーリング機構
Ａｄ１〜Ａｄ６  ６種類の追加封入紙
Ｅｎ  封筒体
ｆ  封筒体の開口側フラップ
ＳＥ  封入物封入封緘封筒
Ｃｏ  コンテナ
２９  封筒自動箱詰め機構
３０  封筒バッファー部
３１  バッファー開閉部
【図１】
2004255787.tif 000003
【図２】
2004255787.tif 000004
【図３】
2004255787.tif 000005
【図４】
2004255787.tif 000006
【図５】
2004255787.tif 000007
【図６】
2004255787.tif 000008
【図７】
2004255787.tif 000009